(57)【要約】【課題】  長さの変更及び固定が容易で、使用感が低下することなく安定した縄跳びグリップを提供する。【解決手段】  縄跳びグリップ１１は、筒状の内筒体２１と内筒体２１の主要部を覆う筒状の外筒体２０とを備えている。内筒体２１と外筒体２０とは軸方向及び周方向に相対的に摺動自在である。外筒体２０の側壁の内面であって先端開口部３０には、横断面が半円形状の一対の突起体３２ａ、３２ｂが形成されている。内筒体２１の側壁の外面には、軸方向に延びる直線状の縦溝４２と、縦溝４２の３箇所に接続され、周方向に延びる横溝４３ａ〜４３ｃとが形成されている。突起体３２ａは縦溝４２及び横溝４３ａ〜４３ｃの各々に沿って係合した状態で移動し、内筒体２１及び外筒体２０の相対的な動きは規制され、縄跳びグリップ１１の全体長さを調整できる。突起体３２ａは外筒体２０の内面に形成されているため、横溝４３ａ〜４３ｃから不用意に離れる虞はない。【選択図】      図２
2010124844.tif 000002
【特許請求の範囲】
【請求項１】
跳び縄が接続される筒状の内筒体と、前記内筒体の少なくとも一部を覆うように形成され、前記内筒体に対して軸方向及び周方向に相対的に摺動自在な筒状の外筒体とを備えた縄跳びグリップであって、
前記内筒体の側壁の外面には、軸方向に延びる直線状の縦溝と、前記縦溝の少なくとも２箇所に接続され、周方向に延びる複数の横溝とが形成され、
前記外筒体の側壁の内面には、前記縦溝及び前記横溝の各々に沿って係合した状態で移動し、前記内筒体及び前記外筒体の相対的な動きを規制する突起体が一体的に形成される、縄跳びグリップ。
【請求項２】
前記外筒体には前記内筒体の一部を露出させる表示窓が形成され、
前記内筒体には、前記突起体が前記横溝のいずれかに係合した時、前記係合した前記横溝に応じた表示内容が前記表示窓を介して視認できるように形成される、請求項１記載の縄跳びグリップ。
【請求項３】
前記横溝は前記縦溝の中間部に接続する中間横溝を含み、
前記突起体が前記中間部に位置するとき、前記中間横溝に応じた特定表示内容の一部が前記表示窓を介して視認できるように前記内筒体に形成される、請求項２記載の縄跳びグリップ。
【請求項４】
前記縦溝と前記横溝との接続部分には、前記突起体の移動に抵抗を与える突条部が形成される、請求項１から請求項３のいずれかに記載の縄跳びグリップ。
【請求項５】
前記縦溝及び前記横溝は前記内筒体の側壁の対向位置に一対設けられ、
前記突起体は前記外筒体の側壁の対向位置に一対設けられる、請求項１から請求項４のいずれかに記載の縄跳びグリップ。
【発明の詳細な説明】
【技術分野】
【０００１】
この発明は縄跳びグリップに関し、特に、児童用の縄跳びグリップに関するものである。
【背景技術】
【０００２】
通常、縄跳びグリップは短いほど腕に伝わる負荷が小さくなるため、短い縄跳びグリップは児童や初心者の使用に適する。一方、縄跳びグリップが長い場合には腕への負荷は増加するが、縄跳びグリップの先端に接続される跳び縄が使用者の体から離れる。
【０００３】
図９は短い縄跳びグリップと長い縄跳びグリップとの使用状態を示した模式図である。
【０００４】
図を参照して、図９の（２）で示す長い縄跳びグリップ６１ｂは、図９の（１）で示す短い縄跳びグリップ６１ａよりも跳び縄６２が体に触れにくいため、例えばあや跳び等の腕を交差させる技を容易に行うことができる。
【０００５】
両者の利点を兼ね備えることを目的として、特許文献１に長さの変更を可能とした縄跳びグリップが提案されている。この縄跳びグリップは、軸方向に延びる２つの部材よりなり、それら部材の内方側の一方に雄ネジを、外方側の他方に雌ネジを形成し、両者を螺合するものである。この螺合程度を調節することによって縄跳びグリップの長さは変更される。
【０００６】
しかし、この縄跳びグリップでは長さの変更に時間を要する。又、長期の使用によりネジ山が摩耗し、両部材の固定が不安定となる。
【０００７】
そこで、以下に説明する縄跳びグリップが特許文献２に提案されている。
【０００８】
図１０はこの縄跳びグリップの概略正面図であり、図１１は図１０のＸＩ−ＸＩラインにおける断面図である。
【０００９】
これらの図を参照して、縄跳びグリップ６１は、筒状の中筒６５と、内部に中筒６５を挿入可能な筒状の外筒６６とを備えている。中筒６５は外筒６６より軸方向に長く形成されているため、外筒６６全体に挿入されたときでも軸方向の約半分が露出する。
【００１０】
外筒６６の側壁の略中央にはＵ字形の貫通溝７０が設けられ、該Ｕ字形の内方に支持杆７１を介して凸起体７２が形成されている。これにより、凸起体７２は外筒６６の内外方向に撓む。外筒６６に覆われる中筒６５の後方領域の表面には、軸方向に延びる直線状の縦溝７５が形成されている。又、中筒６５の表面には縦溝７５と直交する横溝７６ａ〜７６ｄが軸方向の異なる４箇所に等間隔に形成されている。
【００１１】
次に、縄跳びグリップ６１の使用方法について説明する。
【００１２】
中筒６５が外筒６６の内部に挿入されると、外筒６６の側壁に形成された凸起体７２の内方側の頭部は、中筒６５の表面に形成された縦溝７５又は横溝７６ａ〜７６ｄのいずれかに当接する。凸起体７２の頭部は、縦溝７５又は横溝７６ａ〜７６ｄのいずれかに沿った状態で移動が可能である。凸起体７２を軸方向に移動し、所定の位置で周方向に回動すれば、凸起体７２と横溝７６ａ〜７６ｄのいずれかとが係合し、縄跳びグリップ６１を所望の長さに設定することができる。このように、縄跳びグリップ６１は長さの変更が可能である。
【特許文献１】実開昭６２‐８４４６６号公報
【特許文献２】実開昭６３‐１８９２６８号公報
【発明の開示】
【発明が解決しようとする課題】
【００１３】
上記のような従来の縄跳びグリップでは、外筒に露出する凸起体の構造によって安定性が低く、使用感が低下していた。又、貫通溝からゴミ等が入る虞れがある。更に、横溝は外筒に覆われて視認できないため、凸起体と横溝との位置合わせがしにくく、使い勝手が良くなかった。
【００１４】
この発明は、上記のような課題を解決するためになされたもので、使用感が低下することなく、長さの変更及び固定が容易で安定した縄跳びグリップを提供することを目的とする。
【課題を解決するための手段】
【００１５】
上記の目的を達成するために、請求項１記載の発明は、跳び縄が接続される筒状の内筒体と、内筒体の少なくとも一部を覆うように形成され、内筒体に対して軸方向及び周方向に相対的に摺動自在な筒状の外筒体とを備えた縄跳びグリップであって、内筒体の側壁の外面には、軸方向に延びる直線状の縦溝と、縦溝の少なくとも２箇所に接続され、周方向に延びる複数の横溝とが形成され、外筒体の側壁の内面には、縦溝及び横溝の各々に沿って係合した状態で移動し、内筒体及び外筒体の相対的な動きを規制する突起体が一体的に形成されるものである。
【００１６】
このように構成すると、横溝のいずれかに突起体が係合することによって、内筒体及び外筒体の軸方向への相対的移動が阻止される。
【００１７】
請求項２記載の発明は、請求項１記載の発明の構成において、外筒体には内筒体の一部を露出させる表示窓が形成され、内筒体には、突起体が横溝のいずれかに係合した時、係合した横溝に応じた表示内容が表示窓を介して視認できるように形成されるものである。
【００１８】
このように構成すると、表示内容が縄跳びグリップの長さの変化に対応する。
【００１９】
請求項３記載の発明は、請求項２記載の発明の構成において、横溝は縦溝の中間部に接続する中間横溝を含み、突起体が中間部に位置するとき、中間横溝に応じた特定表示内容の一部が表示窓を介して視認できるように内筒体に形成されるものである。
【００２０】
このように構成すると、特定表示内容の一部が視認できたとき、突起体は中間部に位置する。
【００２１】
請求項４記載の発明は、請求項１から請求項３のいずれかに記載の発明の構成において、縦溝と横溝との接続部分には、突起体の移動に抵抗を与える突条部が形成されるものである。
【００２２】
このように構成すると、突起体の不用意な移動が阻止される。
【００２３】
請求項５記載の発明は、請求項１から請求項４のいずれかに記載の発明の構成において、縦溝及び横溝は内筒体の側壁の対向位置に一対設けられ、突起体は外筒体の側壁の対向位置に一対設けられるものである。
【００２４】
このように構成すると、内筒体と外筒体とは各々の側壁の対向位置において係合する。
【発明の効果】
【００２５】
以上説明したように、請求項１記載の発明は、外筒体の側壁の内面に形成された突起体によって内筒体及び外筒体の相対的移動が阻止されるので、突起体が横溝から離れる虞はなく、長さが変化した縄跳びグリップの状態が安定する。
【００２６】
請求項２記載の発明は、請求項１記載の発明の効果に加えて、表示窓を介して視認される表示内容が縄跳びグリップの長さの変化に対応するので、変化状態を容易に確認でき、使い勝手が良い。
【００２７】
請求項３記載の発明は、請求項２記載の発明の効果に加えて、中間横溝に応じた表示内容の一部が視認できたときに突起体が中間部に位置するので、突起体の位置が把握され、中間横溝への突起体の係合が容易となる。
【００２８】
請求項４記載の発明は、請求項１から請求項３のいずれかに記載の発明の効果に加えて、縦溝と横溝との接続部分に形成される突条部によって突起体の不用意な移動が阻止されるので、突起体の横溝に対する係合状態が安定する。
【００２９】
請求項５記載の発明は、請求項１から請求項４のいずれかに記載の発明の効果に加えて、内筒体と外筒体とは各々の側壁の対向位置において係合するので、両者の係合状態がより安定化する。
【発明を実施するための最良の形態】
【００３０】
図１はこの発明の第１の実施の形態による縄跳びグリップの概略斜視図であり、図２は図1で示した縄跳びグリップの拡大分解斜視図であり、図３は図２のＩＩＩ−ＩＩＩラインにおける断面図であり、図４は図２のＩＶ−ＩＶラインにおける断面図である。
【００３１】
これらの図を参照して、縄跳びグリップ１１は、円筒形状の内筒体２１と、内部に内筒体２１を挿入してその主要部を覆う円筒形状の外筒体２０とを備えている。内筒体２１と外筒体２０とは軸方向及び周方向に相対的に摺動自在となるように構成されている。内筒体２１は外筒体２０内部への挿入を容易にするため、軸方向の先端側（跳び縄１２側）に行くに従ってわずかに先細りした形状となっている。内筒体２１の先端は外筒体２０の先端部から突出して露出している。内筒体２１の先端部には接続部材２２及び係止部材２３を介して跳び縄１２が抜け止め状態に接続されている。
【００３２】
外筒体２０の側壁の内面であって先端開口部３０には、外筒体２０の軸方向に直交する横断面が半円形状の突起体３２ａ、３２ｂが該内面の対向位置に一対形成されている。突起体３２ａ、３２ｂは同じ作用を奏するものであるので、以後の説明では突起体３２ａについてのみ説明する。
【００３３】
外筒体２０の先端近傍には内筒体２１の一部を露出させる略矩形状の表示窓３３が形成されている。表示窓３３は、後述する内筒体２１の表示内容４５ａ〜４５ｃのいずれかが視認できるように構成されている。又、外筒体２０の側壁の外面には周方向に延びるグリップ溝３４が複数形成されている。
【００３４】
内筒体２１の側壁の外面には、軸方向に延びる直線状の縦溝４２と、縦溝４２の軸方向の異なる３箇所に等間隔に接続され、周方向の一方に延びる横溝４３ａ〜４３ｃとが形成されている。縦溝４２及び横溝４３ａ〜４３ｃは、外筒体２０に形成された突起体３２ａに対応する幅及び深さを有し、突起体３２ａが係合するものである。突起体３２ａは縦溝４２及び横溝４３ａ〜４３ｃの各々に沿って係合した状態で移動するため、これらによって内筒体２１及び外筒体２０の相対的な動きは規制される。尚、内筒体２１の側壁の反対側には突起体３２ｂと係合する同様の縦溝及び横溝が形成されているが、同様の作用及び効果を奏するものであるため説明は繰り返さない。
【００３５】
縦溝４２には、突起体３２ａが横溝４３ａと接続する位置にあるときに突起体３２ａに当接して突起体３２ａの内筒体２１の先端側への移動を阻止する凸部５０が形成されている。又、縦溝４２と横溝４３ａ〜４３ｃとの接続部分には突条部５１ａ〜５１ｃがそれぞれ形成されている。突条部５１ａ〜５１ｃはその横断面が半円形状であり、縦溝４２と横溝４３ａ〜４３ｃとの間を移動する際の突起体３２ａに抵抗を与える。
【００３６】
内筒体２１の側壁の外面には、表示内容４５ａ〜４５ｃとして異なった算用数字“１”〜“３”が軸方向に平行して３箇所に付されている。表示内容４５ａ〜４５ｃは横溝４３ａ〜４３ｃにそれぞれ対応するものである。すなわち、横溝４３ａ〜４３ｃのいずれかに突起体３２ａが係合する場合において、特定の横溝に対応する特定の表示内容が表示窓３３を介して視認できるように表示内容４５ａ〜４５ｃは付されている。例えば、突起体３２ａが横溝４３ａに係合した状態では、図１に示されているように表示窓３３に“１”の表示内容４５ａが現れる。これにより、縄跳びグリップ１１は各々の係合状態に応じた特定の表示内容が視認されるので、縄跳びグリップ１１の長さの変化状態を容易に確認できる。すなわち、表示窓３３に“１”の表示内容４５ａが視認されるとき、縄跳びグリップ１１の長さは最も短い状態となり、“２”の表示内容４５ｂが視認されるとき、その長さは中間の長さとなり、“３”の表示内容４５ｃが視認されるとき、その長さは最も長い状態となる。
【００３７】
又、内筒体２１の側壁の先端外面には軸方向に延びる複数の把持溝４４が内筒体２１の把持及び操作を容易にするために形成されている。
【００３８】
次に、この縄跳びグリップの使用方法について説明する。
【００３９】
図５は図１で示した縄跳びグリップの長さを変化させた状態の概略斜視図である。
【００４０】
図を参照して、縄跳びグリップ１１は長さを設計上最大にした状態が示されている。先に説明した図１で示した縄跳びグリップ１１と比較すると、その長さの違いは明らかである。一方、図１で示した縄跳びグリップ１１は長さを設計上最小にした状態である。このように、縄跳びグリップ１１の長さは、内筒体２１と外筒体２０との係合位置を変更し、内筒体２１の外筒体２０の先端からの突出し程度を調節することによって変更される。
【００４１】
次に、図１の状態から図５の状態への縄跳びグリップの長さの変更方法について説明する。
【００４２】
図６は図１で示した縄跳びグリップの動作説明図であって、その（１）は第１の固定状態を示した図であり、その（２）は移行状態を示した図であり、その（３）は第２の固定状態を示した図であり、図７は図６のＶＩＩ−ＶＩＩラインにおける拡大端面図であって、その（１）、（２）及び（３）はそれぞれ図６の（１）、（２）及び（３）に対応した図である。
【００４３】
図６の（１）及び図７の（１）を参照して、縄跳びグリップ１１は内筒体２１が外筒体２０の内部に挿入され、外筒体２０の突起体３２ａが内筒体２１の横溝４３ａに係合した状態である。この状態の縄跳びグリップ１１は図１に示された軸方向長さが最小となった状態である。すなわち、横溝４３ａは横溝４３ａ〜４３ｃの中で内筒体２１の軸方向の最も先端側に形成されているため、外筒体２０の先端からの内筒体２１の露出程度が最小となる結果、縄跳びグリップ１１の長さは最小となる。又、縦溝４２と横溝４３ａとの接続部分には突条部５１ａが形成されているため、突起体３２ａは縦溝４２の位置に戻りにくくなり、横溝４３ａに対する係合状態は安定している。
【００４４】
この状態から、外筒体２０を矢印の方向、すなわち突起体３２ａが縦溝４２に係合するように所定以上の力を与えて回転させる。すると、突起体３２ａは突条部５１ａを越え、横溝４３ａとの係合固定が解除された後、縦溝４２に係合する。尚、縦溝４２の内筒体２１の先端側には凸部５０が形成されているため、縦溝４２に係合した突起体３２ａは軸方向の先端側への移動が阻止され、後端側にのみ移動することができる。
【００４５】
次に、図６の（２）及び図７の（２）に示されるように、突起体３２ａを矢印の方向に移動するように外筒体２０を操作し、突起体３２ａが縦溝４２の軸方向の後端部に当接するまで外筒体２０を移動させる。このとき、内筒体２１と外筒体２０とは、縦溝４２の幅と突起体３２ａの幅とが対応しているため周方向への相対的な移動は阻止されている。
【００４６】
突起体３２ａが縦溝４２の後端部に当接すると、突起体３２ａは該後端部に阻止され、それ以上の後端側への移動が阻止される。このとき、突起体３２ａは縦溝４２の横溝４３ｃとの接続部分に位置することとなる。次に、図６の（３）及び図７の（３）に示されるように、この位置で外筒体２０を矢印の方向、すなわち突起体３２ａが横溝４３ｃに係合するように所定以上の力を与えて回転させると、突起体３２ａは突条部５１ｃを越え、横溝４３ｃに進入し、突起体３２ａと横溝４３ｃとが係合する。突起体３２ａの横溝４３ｃに対する係合状態は突条部５１ｃの存在によって安定する。このとき、外筒体２０の先端からの内筒体２１の露出程度は最大となり、縄跳びグリップ１１の長さは最大となる。この状態の縄跳びグリップ１１は図５に示された状態となる。
【００４７】
図７の（１）及び（３）では、外筒体２０を矢印の方向に回転させているが、内筒体２１を反対方向に回転させても良く、又、外筒体２０と内筒体２１とを相対的に反対方向に回転させても良い。
【００４８】
尚、突起体３２ａ及び横溝４３ａ〜４３ｃは外筒体２０に覆われているため外側から視認することはできない。そのため、突起体３２ａと横溝４３ａ〜４３ｃとの位置合わせはしにくいと言える。しかし、縦溝４２に係合した突起体３２ａは、縦溝４２に形成された凸部５０に当接するときに横溝４３ａとの接続位置となり、縦溝４２の後端部に当接するときに横溝４３ｃとの接続位置となる。したがって、突起体３２ａと横溝４３ａ、４３ｃとの位置合わせは比較的容易である。これに対して、縦溝４２の中間部に接続する中間横溝４３ｂとの位置合わせについては、このようなストッパーを縦溝４２内に形成することができないので横溝４３ａ、４３ｃと同様の方法を採用することはできない。
【００４９】
そこで、縄跳びグリップの中間部への固定方法について説明する。
【００５０】
図８は図１で示した縄跳びグリップの中間部への固定方法を示した動作説明図であって、その（１）は図１の位置での固定解除状態を示した図であり、その（２）は中間部への位置合わせを示した図であり、その（３）は中間部への固定状態を示した図である。
【００５１】
図８の（１）を参照して、図１の状態から縄跳びグリップ１１の内筒体２１を矢印の方向に回転させることにより突起体３２ａ（図示せず）と横溝４３ａ（図示せず）との係合固定が解除され、突起体３２ａ（図示せず）と縦溝４２とが係合した状態となる。次に、図８の（２）に示されるように、内筒体２１を矢印の方向の軸方向に引き出すように移動させる。すると、中間横溝４３ｂ（図示せず）に応じた位置に突起体３２ａ（図示せず）が移動して来て、表示内容４５ｂである算用数字“２”の左半分が表示窓３３を介して視認される。この状態になると、上述のように突起体３２ａ（図示せず）が縦溝４２における中間横溝４３ｂ（図示せず）の接続位置となるように、中間横溝４３ｂと表示内容４５ｂとの位置関係が設定されている。そこで、この状態で内筒体２１を図８の（３）に示されるように矢印の方向に回転させると、突起体３２ａ（図示せず）と横溝４３ｂ（図示せず）とが係合する。そして、表示窓３３から表示内容４５ｂの全部が視認され、縄跳びグリップ１１は中間部に固定される。
【００５２】
このように、表示内容４５ｂの半分が視認されるとき、突起体３２ａ（図示せず）は縦溝４２の対応位置に係合し、表示内容４５ｂの全部が視認されるとき、突起体３２ａ（図示せず）は横溝４３ｂに係合する。つまり、表示内容４５ｂの視認状態は外筒体２０と内筒体２１の係合状態を示しているため、縄跳びグリップ１１の使用の可否の判断に寄与する。横溝４３ａ、４３ｃに対応する表示内容４５ａ、４５ｃについても同様なので説明は繰り返さない。
【００５３】
尚、上記の第１の実施の形態では、外筒体は円筒形状であるが、必ずしもこのように構成する必要はなく、外筒体の側壁の内面が内筒体の側壁の外面に対して周方向に回転可能に構成されていれば、外筒体の外郭線の断面形状を多角形状としても良い。
【００５４】
又、上記の第１の実施の形態では、縦溝は後端側の横溝で終了しているが、内筒体を軸方向に縦断するものであっても良い。この場合、突起体が縦溝の後端側の横溝との接続位置にあるとき、突起体が当接するストッパーを設けることが好ましい。
【００５５】
更に、上記の第１の実施の形態では、横溝は３箇所に形成されているが、必ずしもこのように構成する必要はなく、横溝の形成は２箇所であっても良く、４箇所以上であっても良い。
【００５６】
更に、上記の第１の実施の形態では、突起体は横断面が半円形状であるが、必ずしもこのように構成する必要はなく、縦溝及び横溝に係合可能なものであれば良い。
【００５７】
更に、上記の第１の実施の形態では、外筒体に表示窓が形成されているが、必ずしもこのように構成する必要はなく、表示窓はなくても良い。
【００５８】
更に、上記の第１の実施の形態では、内筒体の側壁の外面に算用数字からなる表示内容が形成されているが、必ずしもこのように構成する必要はなく、表示内容はなくても良い。
【００５９】
更に、上記の第１の実施の形態では、縦溝と横溝との接続部分に突条部が形成されているが、必ずしもこのように構成する必要はなく、突条部はなくても良い。
【００６０】
更に、上記の第１の実施の形態では、縦溝、横溝及び突起体はそれぞれの対向位置に２組設けられているが、必ずしもこのように構成する必要はなく、縦溝、横溝及び突起体は単独で形成されていても良く、３組以上設けられていても良い。
【図面の簡単な説明】
【００６１】
【図１】この発明の第１の実施の形態による縄跳びグリップの概略斜視図である。
【図２】図１で示した縄跳びグリップの拡大分解斜視図である。
【図３】図２のＩＩＩ−ＩＩＩラインにおける断面図である。
【図４】図２のＩＶ−ＩＶラインにおける断面図である。
【図５】図１で示した縄跳びグリップの長さを変化させた状態の概略斜視図である。
【図６】図１で示した縄跳びグリップの動作説明図であって、その（１）は第１の固定状態を示した図であり、その（２）は移行状態を示した図であり、その（３）は第２の固定状態を示した図である。
【図７】図６のＶＩＩ−ＶＩＩラインにおける拡大端面図であって、その（１）、（２）及び（３）はそれぞれ図６の（１）、（２）及び（３）に対応した図である。
【図８】図１で示した縄跳びグリップの中間部への固定方法を示した動作説明図であって、その（１）は図１の位置での固定解除状態を示した図であり、その（２）は中間部への位置合わせを示した図であり、その（３）は中間部への固定状態を示した図である。
【図９】短い縄跳びグリップと長い縄跳びグリップとの使用状態を示した模式図である。
【図１０】従来の縄跳びグリップの概略正面図である。
【図１１】図１０のＸＩ−ＸＩラインにおける断面図である。
【符号の説明】
【００６２】
１１…縄跳びグリップ
１２…跳び縄
２０…外筒体
２１…内筒体
３２ａ、３２ｂ…突起体
３３…表示窓
４２…縦溝
４３ａ、４３ｂ、４３ｃ…横溝
４５ａ、４５ｂ、４５ｃ…表示内容
５１ａ、５１ｂ、５１ｃ…突条部
尚、各図中同一符号は同一又は相当部分を示す。
【図１】
2010124844.tif 000003
【図２】
2010124844.tif 000004
【図３】
2010124844.tif 000005
【図４】
2010124844.tif 000006
【図５】
2010124844.tif 000007
【図６】
2010124844.tif 000008
【図７】
2010124844.tif 000009
【図８】
2010124844.tif 000010
【図９】
2010124844.tif 000011
【図１０】
2010124844.tif 000012
【図１１】
2010124844.tif 000013